(57)【要約】  【課題】ベースと最下段の陳列棚の間の陳列空間に置かれた商品陳列用台車を、常に前方端が揃った陳列形態とする商品陳列棚セット及びこれに用いる商品陳列用台車を提供すること。  【解決手段】ベース２９と最下段の陳列棚２５の間に陳列空間２４を有する商品陳列棚２０と、商品を載せる略平板状の台車本体１と台車本体１の裏面に付設されるキャスター３を有する陳列空間２４に置かれる商品陳列台車１０と、からなる商品陳列棚セット３０において、台車本体１１の後側面、又は後側面に対向する位置にある商品陳列棚の部材２３にマグネットを付設してなる。【選択図】        図３
2006081715.tif 000002
【特許請求の範囲】
【請求項１】
商品を載せる略平板状の台車本体と、該台車本体の裏面に付設されるキャスターと、該台車本体の後側面に付設されるマグネットを有し、ベースと最下段の陳列棚の間に陳列空間を有する商品陳列棚の該陳列空間に置かれるものであることを特徴とする商品陳列台車。
【請求項２】
ベースと最下段の陳列棚の間に陳列空間を有する商品陳列棚と、
商品を載せる略平板状の台車本体と該台車本体の裏面に付設されるキャスターを有する該陳列空間に置かれる商品陳列台車と、
からなる商品陳列棚セットにおいて、該台車本体の後側面、又は該後側面に対向する位置にある該商品陳列棚の部材にマグネットを付設してなることを特徴とする商品陳列棚セット。
【請求項３】
該商品陳列台車は、マグネットを介して該商品陳列棚に固定されることを特徴とする請求項２記載の商品陳列棚セット。
【請求項４】
該商品陳列台車は、マグネット及びマグネットキャッチ用板金を介して該商品陳列棚に固定されることを特徴とする請求項２記載の商品陳列棚セット。
【発明の詳細な説明】
【技術分野】
【０００１】
本発明は、スーパー、百貨店、ホームセンターなどで使用される商品陳列台車及び商品陳列棚セットに関するものである。
【背景技術】
【０００２】
スーパー、百貨店、ホームセンターなどにおいて商品を陳列する方法には種々の陳列形態がある。特開平１１−１１３６４３号公報には、商品陳列棚のベース部内に通路を形成し、同通路に商品陳列用台車を入れて、その上に乗せた複数の商品をベース部内の手前から奥の方向に陳列し、ベース部内手前の商品が売れたら、残りの商品を乗せたまま台車をベース部の通路外へ引き出し、反転させて、同通路内へ戻すことにより、台車上に残る商品をベース部の奥からベース部の手前に入れ替えるスーパーマーケットの商品陳列方法が開示されている。この商品陳列方法で使用される商品陳列用台車は、商品を乗せる台盤状の台車本体の各隅角部下面にキャスターを取り付けると共に、同台車本体の中央部下面に補助キャスターを取り付けたものである（図７参照）。
【０００３】
この商品陳列用台車を用いたスーパーマーケットの商品陳列方法は、商品を乗せる台盤状の台車本体の各隅角部下面に付設されたキャスターにより、商品陳列用台車がベース上を自在に移動できるため、商品のベース部奥からベース部手前への入れ替え作業を女性作業員でも容易に行うことができる。
【特許文献１】特開平１１−１１３６４３号公報（請求項１、請求項３）
【発明の開示】
【発明が解決しようとする課題】
【０００４】
しかしながら、前記スーパーマーケットの商品陳列方法は、商品陳列用台車が僅かな外力によりベース上を自在に移動できるため、上記効果をもたらす一方で、安定な陳列姿勢を取り難い。また、該商品陳列用台車に陳列される商品は、比較的重い物や大容量のものが多いため、商品を取り出す際、商品陳列用台車を不用意に移動させてしまう。また、顧客は陳列商品を腰をかがめて取るため、同様に、商品を取り出す際、商品陳列用台車を不用意に移動させてしまうことが多い。このため、ベースと最下段の陳列棚の間の陳列空間に置かれた商品陳列用台車は、常に前方不揃いの陳列形態を取ることになるため、見た目が悪く、商品の売れ行きにも悪影響するという問題がある。
【０００５】
従って、本発明の目的は、ベースと最下段の陳列棚の間の陳列空間に置かれた商品陳列用台車を、常に前方端が揃った陳列形態とする商品陳列棚セット及びこれに用いる商品陳列用台車を提供することにある。
【課題を解決するための手段】
【０００６】
かかる実情において、本発明者は鋭意検討を行った結果、台車本体の後側面、又は該後側面に対向する位置にある商品陳列棚の部材にマグネットを付設すれば、商品陳列台車が、マグネットを介して該商品陳列棚に固定されるため、常に前方端が揃った陳列形態とすることができることなどを見出し、本発明を完成するに至った。
【０００７】
すなわち、本発明は、商品を載せる略平板状の台車本体と、該台車本体の裏面に付設されるキャスターと、該台車本体の後側面に付設されるマグネットを有し、ベースと最下段の陳列棚の間に陳列空間を有する商品陳列棚の該陳列空間に置かれるものである商品陳列台車を提供するものである。
【０００８】
また、本発明は、ベースと最下段の陳列棚の間に陳列空間を有する商品陳列棚と、商品を載せる略平板状の台車本体と該台車本体の裏面に付設されるキャスターを有する該陳列空間に置かれる商品陳列台車と、からなる商品陳列棚セットにおいて、該台車本体の後側面、又は該後側面に対向する位置にある該商品陳列棚の部材にマグネットを付設してなる商品陳列棚セットを提供するものである。
【０００９】
また、本発明は、該商品陳列台車は、マグネットを介して該商品陳列棚に固定される前記商品陳列棚セットを提供するものである。また、本発明は、該商品陳列台車は、マグネット及びマグネットキャッチ用板金を介して該商品陳列棚に固定される前記商品陳列棚セットを提供するものである。
【発明の効果】
【００１０】
本発明の商品陳列台車の台車本体の後側面、又は該後側面に対向する位置にある商品陳列棚の部材にマグネットを付設するため、商品陳列台車が、マグネットを介して該商品陳列棚に固定され、常に前方端が揃った陳列形態とすることができる。
【発明を実施するための最良の形態】
【００１１】
次に、本発明の実施の形態における商品陳列台車を図１及び図２を参照して説明する。図１は本例の商品陳列台車の概略斜視図、図２は図１の商品陳列台を斜め後方から見た概略斜視図である。商品陳列台１０は、商品を載せる略平板状の台車本体１と、台車本体１の裏面に付設されるキャスター３と、台車本体１の後側面１１に付設されるマグネット１２を有する。本明細書において、「前」とは、通路側あるいは顧客側を言い、「後」とはその反対側を言う。
【００１２】
商品陳列台１０における台車本体１は矩形状の天面の縁側に僅かな高さの突起部４を有し、前方端に商品名や価格表示を行うＰＯＳレール２１１が付設されたスカート部２を有する。突起部４は任意の構成要素であり、例えば陳列商品又は前出しトレー（不図示）を設置する際のガイドとなるものである。スカート部２は任意の構成要素であり、スカート部２の長さは、ベース（床面）近くまで延びており、キャスター３を顧客から見えないようにしている。また、台車本体１の天面には前出しトレーの前方移動の直進性を担保するため、前後方向に延出する一対の凹状のレール溝が形成されていてもよい。この場合、前出しトレーの裏面又は側板には該レール溝に係合する突起が付設される。
【００１３】
台車本体１の略平板状としては、その意味を広く解するものであって、図１に示すような平板状のものの他、台車本体に把持用穴や商品転倒防止用枠部材が嵌合する嵌合穴が形成されたもの、表面に滑り部材が付設されたもの、コーナー部が丸みを有するものなど、公知の形状を含むものである。台車本体の縦長さ及び横長さは、通常、設置場所であるベースと最下段の陳列棚の間に形成される陳列空間の奥行き寸法又は幅寸法により適宜決定される。
【００１４】
台車本体１の裏面に付設されるキャスター３としては、公知のものが使用できる。設置個数も特に制限されず、通常２〜６個の範囲で適宜決定される。また、キャスター３は固定キャスター又は自在キャスター、あるいはこれを組み合わせたものが使用できる。
【００１５】
台車本体１の後側面１１に付設されるマグネット１２としては、特に制限されず、公知のものが使用される。マグネット１２は、陳列状態において商品陳列台車が商品陳列棚に固定され、常に前方端が揃った状態とすると共に、商品を補充するために、陳列空間外へ移動させる際、容易にその固定を解除できる程度のマグネット力である。マグネット１２は、通常、商品陳列棚２０の後方下枠部材２３にくっ付くため、商品陳列台車１０の最後尾の部材となる。このため、図１に示すように、台車本体１の後側面１１が平面状である場合は、そのまま設置すればよく（図２）、例えば突起部材などがある場合、マグネット１２を後方へ突出するような形態で取り付ければよい。また、台車本体１の後端面１１の位置が商品陳列棚２０の後方下方枠部材２３より高い場合、マグネット１２は後側面１１から下方へ突出するような形態で取り付けてもよい。
【００１６】
次に、本発明の実施の形態における商品陳列棚セットを図３及び図４を参照して説明する。図３は本例の商品陳列棚セットの概略斜視図、図４は本例の商品陳列棚セットの陳列形態における概略斜視図である。商品陳列棚セット３０は、商品陳列棚２０及び商品陳列台車１０から構成される。商品陳列棚２０は、既存のゴンドラ状の商品陳列棚が使用でき、例えば床面などのベース２９と最下段の陳列棚２５の間に形成される陳列空間２４と、支柱２１と、支柱２１の下側部分から前方へ延出する下方側方枠部材２２と、支柱２１の下側部分から横方向へ延出する下方後方枠部材２３と、上下複数段の陳列棚２５〜２８からなる。また、図３では省略するが、通常、陳列空間２４に隣接する陳列空間２４ａにも商品陳列台車１０が置かれる。また、商品陳列台車１０の台車本体１の後側面１１にマグネットが付設されない場合、商品陳列棚２０の下方後方枠部材２３の陳列空間２４側には、マグネットが付設される（不図示）。この場合、下方後方枠部材２３へのマグネットの付設位置は、置かれる商品陳列台車１０の台車本体１の後側面１１に対向する位置である。
【００１７】
商品陳列台車１０は、商品陳列棚２０の下方後方枠部材２３の陳列空間２４側にマグネットが付設されていない場合、前述の商品陳列台車１０が使用される。また、商品陳列棚２０の下方後方枠部材２３の陳列空間２４側にマグネットが付設される場合、前述の商品陳列台車１０において、台車本体１の後側面１１にマグネットが付設されていないものが使用される。
【００１８】
商品陳列台車１０の台車本体１の後側面１１と、商品陳列棚２０の下方後方枠部材２３とが対向する位置にない場合、商品陳列棚２０の当該対向位置に左右方向に延出する桟部材を付設してもよく、また、商品陳列台車１０の台車本体１の後側面１１に接続部材を介在させマグネット位置を調整して貼付してもよい。
【００１９】
商品陳列棚２０の当該対向位置に左右方向に延出する桟部材を付設する方法の一例を図５及び図６を参照して説明する。図６は図５の丸印内の拡大図である。桟部材は、例えば左右両側に爪部６１を有する板状のマグネットキャッチ用板金６である。既設のゴンドラ状商品陳列棚２０の当該対向位置のレベルにある支柱２１のスリット２１１にマグネットキャッチ用板金６の爪部６１を嵌め込むことで、マグネットキャッチ用板金６を主柱２１に固定する。これにより、商品陳列台車１０は、マグネット１２及びマグネットキャッチ用板金６を介して該商品陳列棚に固定することができる。
【００２０】
商品陳列棚セット３０は次のように使用される。先ず、台車本体１上に商品を陳列する。通常、商品が陳列された商品陳列台車１０を複数個準備する。次いで、商品陳列台車１０を商品陳列棚２０の陳列空間２４に隣接して順次、置いていく。この際、台車本体１の後側面１１、又は後側面１１に対向する位置にある商品陳列棚２０の下方後方枠部材２３にマグネットが付設されているため、商品陳列台車１０が、マグネットを介して商品陳列棚２０に固定され、常に前方端が揃った整然とした陳列形態とすることができる（図４）。また、商品を補充するために、陳列空間２４外へ商品陳列台車１０を移動させる際、容易にその固定を解除できるため、商品陳列台車１０の機能性を維持することができる。
【図面の簡単な説明】
【００２１】
【図１】本実施の形態例の商品陳列台車の概略斜視図である。
【図２】図１の商品陳列台を斜め後方から見た概略斜視図である。
【図３】本実施の形態例の商品陳列棚セットの概略斜視図である。
【図４】本実施の形態例の商品陳列棚セットの陳列形態における概略斜視図である。
【図５】本実施の形態例の商品陳列棚セットの他の概略斜視図である。
【図６】図５の丸印内の拡大図である。
【図７】従来の商品陳列棚セットの概略斜視図である。
【符号の説明】
【００２２】
１      台車本体
２      スカート部
３      キャスター
４      突起部
６      マグネットキャッチ用板金
１０      商品陳列台車
１１      後端面
１２      マグネット
２０      商品陳列棚
２１      支柱
２２      下方側方枠部材
２３      下方後方枠部材
２４、２４ａ      陳列空間
２５      最下段の陳列棚
２６〜２８  陳列棚
２９    ベース
３０    商品陳列棚セット
【図１】
2006081715.tif 000003
【図２】
2006081715.tif 000004
【図３】
2006081715.tif 000005
【図４】
2006081715.tif 000006
【図５】
2006081715.tif 000007
【図６】
2006081715.tif 000008
【図７】
2006081715.tif 000009